(57)【要約】【課題】髪からの取外しを容易にする、髪止め具を提供する。また、髪止め具の髪への取付けを容易にする、髪止めツールを提供する。【解決手段】髪止め具１０であって、加熱により溶ける素材で形成されており、素材の融点が２５℃以上で１００℃未満である。また、加熱により溶ける素材で形成されており、素材の融点が２５℃以上で１００℃未満である髪止め具１０を髪に取付ける髪止めツール２０であって、髪止め具１０が装填されるマガジン２２Ａ，２２Ｂと、髪止め具１０を加熱する加熱手段２４，２５と、を備える。【選択図】図３
2019072646.tif 000002
【特許請求の範囲】
【請求項１】
髪止め具であって、
加熱により溶ける素材で形成されており、
前記素材の融点が、２５℃以上で１００℃未満である
ことを特徴とする髪止め具。
【請求項２】
前記素材は、ゼラチン、デンプン、寒天、糊、米粉、小麦粉、グルテン、コーンスターチ、水飴のうち少なくとも１種を含む
ことを特徴とする請求項１に記載の髪止め具。
【請求項３】
前記髪止め具は、テープ状に形成されている
ことを特徴とする請求項１又は２に記載の髪止め具。
【請求項４】
前記髪止め具は、コ字型のステープル状に形成される
ことを特徴とする請求項１又は２に記載の髪止め具。
【請求項５】
前記髪止め具は、複数個が連続した状態で形成され、各境界部には、切込みが施される
ことを特徴とする請求項１から４までのいずれか１項に記載の髪止め具。
【請求項６】
加熱により溶ける素材で形成されており、前記素材の融点が２５℃以上で１００℃未満である髪止め具を髪に取付ける髪止めツールであって、
前記髪止め具が装填されるマガジンと、
前記髪止め具を加熱する加熱手段と、を備える
ことを特徴とする髪止めツール。
【請求項７】
前記髪止め具は、テープ状に形成され、連続的に巻回されたロールであり、
前記髪止めツールは、
前記マガジンを有し、互いの先端部が接離可能な第１アーム及び第２アームを備え、
前記第１アーム及び前記第２アームの少なくとも一方は、前記先端部が前記加熱手段により加熱され、
前記マガジンは、テープ状の前記髪止め具を前記ロールから巻き戻すとともに、前記先端部に供給する
ことを特徴とする請求項６に記載の髪止めツール。
【請求項８】
前記髪止め具は、ステープルとして形成されており、
前記髪止めツールは、
前記髪止め具を打込むドライバを有するハンドルと、
装填される前記髪止め具をバネにより押出すプッシャを有する前記マガジンと、
打込まれた前記髪止め具の先端を溝に沿って曲げるクリンチャを有するクリンチャアームと、を備え、
前記クリンチャが、前記加熱手段により加熱される
ことを特徴とする請求項６に記載の髪止めツール。
【発明の詳細な説明】
【技術分野】
【０００１】
本発明は、髪止め具及び髪止めツールに関する。
【背景技術】
【０００２】
従来、髪を止めるときに用いるヘアピンなどの髪止め具に関し、種々の提案がなされている（例えば、特許文献１参照）。
【０００３】
従来のヘアピンは、髪に取付けられ、髪を束ねた状態とし、使用後は髪から取外されるため、弾性や強度が必要とされており、一般的にバネ鋼などの金属又はプラスチック材料により形成されていた。
【０００４】
そして、着用する人自身や美容師などの作業者は、髪型、束ねる髪量、頭部中の位置、外からの見た目などを考慮して、ヘアピンを髪に所定数取付けるが、作業者が、美容技術に未熟な素人や新人美容師などの場合は、多数の髪止め具を使用する。
【先行技術文献】
【特許文献】
【０００５】
【特許文献１】実公昭５７−０２００８５号公報
【発明の概要】
【発明が解決しようとする課題】
【０００６】
ところが、ヘアピンなどの髪止め具を取付け又は取外すときは、作業者は一つずつ行う必要があり、手間や時間がかかる。また、取外すときに、時間を短縮しようと、急いで無理に髪止め具を引っ張り抜こうとすると、髪が引っ掛かって、頭皮に痛みを感じる又は与える問題があった。
【０００７】
そこで、本発明は、髪からの取外しを容易にする、髪止め具を提供することを目的とする。
また、本発明は、髪止め具の髪への取付けを容易にする、髪止めツールを提供することを目的とする。
【課題を解決するための手段】
【０００８】
（１）本発明に係る１つの態様は、髪止め具であって、加熱により溶ける素材で形成されており、前記素材の融点が、２５℃以上で１００℃未満であるもの。
（２）上記（１）の態様において、前記素材は、ゼラチン、デンプン、寒天、糊、米粉、小麦粉、グルテン、コーンスターチ、水飴のうち少なくとも１種を含んでもよい。
（３）上記（１）又は（２）の態様において、前記髪止め具は、テープ状に形成されていてもよい。
（４）上記（１）又は（２）の態様において、前記髪止め具は、コ字型のステープル状に形成されていてもよい。
（５）上記（１）から（４）までのいずれか１つの態様において、前記髪止め具は、複数個が連続した状態で形成され、各境界部には、切込みが施されていてもよい。
（６）本発明に係る別の１つの態様は、加熱により溶ける素材で形成されており、前記素材の融点が２５℃以上で１００℃未満である髪止め具を髪に取付ける髪止めツールであって、前記髪止め具が装填されるマガジンと、前記髪止め具を加熱する加熱手段と、を備えるものである。
（７）上記（６）の態様において、前記髪止め具は、テープ状に形成され、連続的に巻回されたロールであり、前記髪止めツールは、前記マガジンを有し、互いの先端部が接離可能な第１アーム及び第２アームを備え、前記第１アーム及び前記第２アームの少なくとも一方は、前記先端部が前記加熱手段により加熱され、前記マガジンは、テープ状の前記髪止め具を前記ロールから巻き戻すとともに、前記先端部に供給してもよい。
（８）上記（６）の態様において、前記髪止め具は、ステープルとして形成されており、前記髪止めツールは、前記髪止め具を打込むドライバを有するハンドルと、装填される前記髪止め具をバネにより押出すプッシャを有する前記マガジンと、打込まれた前記髪止め具の先端を溝に沿って曲げるクリンチャを有するクリンチャアームと、を備え、前記クリンチャが、前記加熱手段により加熱される。
【発明の効果】
【０００９】
本発明によれば、髪からの取外しを容易にする、髪止め具を提供することができる。
また、本発明によれば、髪止め具の髪への取付けを容易にする、髪止めツールを提供することができる。
【図面の簡単な説明】
【００１０】
【図１】本発明に係る実施形態１の髪止め具を示す概略図である。
【図２】髪止め具の変形例を示す斜視図である。
【図３】本発明に係る実施形態２の髪止めツールを示す、（ａ）開いた状態の概略図であり、（ｂ）閉じた状態の概略図である。
【図４】変形例１の髪止めツールを示す、（ａ）斜視図であり、（ｂ）マガジンを開放した状態の斜視図である。
【図５】変形例２の髪止めツールを示す斜視図である。
【発明を実施するための形態】
【００１１】
以下、本発明の一実施形態について、図面を参照しながら詳細に説明する。なお、実施形態の説明の全体を通じて同じ要素には同じ符号を付して説明する。
【００１２】
髪止め具１０は、髪を止めるときに、髪に取付けられ、髪を束ねた状態とするもので、以下に示すような、種々の形状のものがある。
【００１３】
図１は、本発明に係る実施形態１の髪止め具１０を示す斜視図である。図２は、髪止め具１０の変形例を示す斜視図である。
例えば、髪止め具１０は、図１（ａ）に示されるように、一般的なアメリカンピン（アメピン）の形状に形成されたものであってよいし、また、図１（ｂ）に示されるように、細い棒状に形成され、使用時に折り曲げることで、Ｕピン（ネジピン）になるようなものであってもよい。
【００１４】
あるいは、髪止め具１０は、あらかじめＵピンの形状に形成されていてもよく、また、Ｃ字形状に形成されていてもよく、使用時に、Ｕ字又はＣ字の間隔が、広げられたり、狭められたり、更には、閉じられたりしてもよい。
【００１５】
また、髪止め具１０は、図１（ｃ）に示されるように、Ｌ字形状に折り曲げられたテープ板状に形成されたものであってもよい。くわえて、図１（ｄ）に示されるように、スリット開口を有する先細りの短冊（テープ）状、又は、結束バンドのように形成されてもよい。これらによれば、スリット開口などに先端を挿入して、リングを形成し、髪を束ねることができる。
【００１６】
さらに、髪止め具１０は、図１（ｅ）に示されるように、巻テープ状（ロール状）に形成されたものであってもよい。これによれば、巻テープが巻き戻され、ハサミで所定長さに切断したり、巻テープがテープカッター（テープディスペンサ）に装填され、切断刃で所定長さに切断したりすることができる。なお、図１（ｃ），（ｄ），（ｅ）のような形態の髪止め具１０であれば、後述する図２（ｄ），（ｅ）のように、表面に穴や突起が形成されてもよい。また、図１（ａ）から（ｅ）のような形態の髪止め具１０であれば、複数個が縦方向又は横方向に連続した状態とし、各境界部で切離すように形成してもよい。
【００１７】
また、髪止め具１０は、図２（ａ）に示されるように、髪への取付け前の状態で、コ字型のステープル状のものであり、髪への取付け後は、用紙を綴じるステープルと同じように、両先端が折り曲げられた状態となるものであってもよい。この場合、髪止め具１０は、複数個が連続した状態で形成され、隣り合う髪止め具１０の各境界部には、切込み１１が施されている。
【００１８】
なお、ステープル状の髪止め具１０としては、上記の一般的なコの字形状に限らず、図２に示される、（ｂ）リボン型、（ｃ）ダイヤ型、（ｄ）ダイヤ型の穴を有するもの、（ｅ）ダイヤ型の突起を有するもの、であってもよく、（ｆ）丸型などでもよい。なお、穴や突起の形状は、ダイヤ型でなく、リボン型やハート型などでもよい。
【００１９】
くわえて、髪止め具１０は、上記のほか、ヘアカーラー・ヘアロッド、スリーピン、ヘアクリップ、ヘアクランプ、Ｅスティック・コーム・櫛、スティックピン・かんざしなどのヘアケア用品の形態であってもよく、ガチャック（オート株式会社の登録商標第１５８７５２８号）などの連射式クリップ機用のクリップのような形状であってもよい。
【００２０】
ところで、これらの形態の髪止め具１０は、加熱により溶ける（融解又は軟化する）素材で形成されている。この素材の融点は、２５℃以上で１００℃未満であり、好ましくは３０℃以上で５０℃未満であり、より好ましくは３５℃以上で４２℃未満であり、更に好ましくは、３５℃以上で３９℃未満である。この素材は、ゼラチン、デンプン、寒天、糊、米粉、小麦粉、グルテン、コーンスターチ、水飴などの植物系又は動物系の材料のうち少なくとも１種を含んでおり、また、これらが２種以上混合されたものでもよい。なお、糊、米粉、小麦粉、グルテン、コーンスターチ、水飴などは、デンプン由来のものである。
【００２１】
髪止め具１０への加熱は、ヘアアイロンなどのヒータによる接触加熱や、ヘアドライヤーなどの温風吹付け加熱や、スチーム加熱、シャワーヘッドなどの温水吹付け加熱のいずれか一つ又は複数の組み合わせにより行われる。
【００２２】
一般的に、ヘアアイロンの表面温度は、１００℃から１８０℃程度であり、ヘアドライヤーの温風温度は、１２０℃から１４０℃程度であり、シャワーヘッドの温水温度は、３５℃から４５℃程度である。
【００２３】
上記のうち温水吹付け加熱は、髪止め具１０が溶ける（融解、溶解又は軟化する）と、そのまま温水とともに排水されるため、好ましい方法である。それゆえ、髪止め具１０は、３９℃から４５℃の温水加熱で溶けるように、融点が３５℃以上で４２℃未満、好ましくは３９℃から４２℃の温水加熱で溶けるように、融点が３５℃以上で３９℃未満に調整されるとよい。ここで、髪止め具１０の融点は、物質の配合量、ショ糖、砂糖などの糖類、植物油脂、添加剤、ゲル化剤などを調整・添加することで設定される。
【００２４】
ところで、近年の猛暑の炎天下にあっては、４０℃程度の気温になることもあるが、ヘアドライヤーのように局所的に風が髪に吹付けられることはないから、炎天下の気温で、髪止め具１０が溶けるようなことはない。また、海・湖・川やプールなどで水を浴びたり、悪天候などで雨に濡れたりすることがあっても、温水プールの温水でさえ、２５℃から３２℃程度であるから、これらの水の温度で、髪止め具１０が溶けるようなこともない。
【００２５】
そして、髪止め具１０の強度（硬さ）は、ｐＨ調整剤などの添加剤を添加することで調整される。ｐＨ調整剤としては、乳酸、クエン酸、酒石酸や、その塩である乳酸ナトリウム、クエン酸ナトリウム、あるいは、水酸化ナトリウムなどが挙げられる。なお、髪止め具１０の強度を確保するため、素材の融点に影響を与えない程度のプラスチック樹脂が混合されてもよい。
【００２６】
ここで、髪止め具１０の形状は、上述したとおりであるが、具体的な寸法を挙げれば、テープ状のものであれば、その厚みは、通常０．０２ｍｍから２ｍｍ程度で、最大で５ｍｍ程度であり、その幅は、通常５ｍｍから２０ｍｍ程度であり、最小で１ｍｍ、最大で５０ｍｍ程度である。また、棒状のものであれば、その一辺又は直径は、０．５ｍｍから２ｍｍ程度であり、最大で５ｍｍ程度である。
【００２７】
これらの髪止め具１０を髪に止める場合は、ヘアアイロン、ヘアドライヤー及び後述する髪止めツール２０，１２０，２２０などが適宜使用されたり、手作業で行われたりする。
【００２８】
以上のとおり、本発明に係る実施形態１の髪止め具１０は、加熱により溶ける素材で形成されており、素材の融点が、２５℃以上で１００℃未満である。これにより、加熱するだけで髪止め具１０を溶かす（変形させる）ことができるため、髪止め具１０を簡単に取外すことができる。
【００２９】
また、髪止め具１０を取外す際に、手間や時間がかからないし、また、髪止め具１０が髪に引っ掛かり、痛みを感じることがない。さらに、髪に温水を吹付ければ、髪止め具１０を洗い流して取外すこともできる。
【００３０】
ところで、髪止め具１０は、溶ける素材で形成されるため、無色、白濁色、黄白色などに近い色であるが、着色剤を添加して、黒や茶などの髪と同系統の色としてもよい。逆に、髪止め具１０をあえて目立たせるように、赤・ピンク色などの色付きとしてもよく、ストライプなどの模様が施されたり、ラメなどで装飾されたりしてもよい。
【００３１】
従来のヘアピンは、多数取付けられると、見た目も悪く、おしゃれに見えなくなることもあったが、逆に、髪止め具１０を目立たせることで、髪に多数取付けられても、おしゃれを演出することができる。
【００３２】
また、髪止め具１０は、発毛剤・育毛剤、栄養剤、整髪料などのヘアケア成分や、香り成分などが添加されて形成されてもよい。これにより、髪止め具１０は、髪止めやおしゃれ以外の機能を付加することができる。
【００３３】
なお、好ましい範囲の温度を超えるが、６０℃以上の温度で、粘土状になる低融点熱可塑性ポリウレタン樹脂（例えば、商品名「プラフリーレ」）などのプラスチック樹脂で髪止め具１０が形成されてもよい。
【００３４】
つぎに、複数の髪止め具１０を、連続的に髪に取付ける髪止めツール２０について説明する。図３は、本発明に係る実施形態２の髪止めツール２０を示す、（ａ）開いた状態の概略図であり、（ｂ）閉じた状態の概略図である。
【００３５】
ここでの髪止め具１０は、巻テープ状に形成され、連続的に巻回されたロール１２である。髪止めツール２０は、ハンドル（第１アーム）２１と、マガジン２２Ａ，２２Ｂと、第２アーム２３と、加熱手段２４，２５と、を備えるテープディスペンサである。
【００３６】
くわしくは、ハンドル２１は、ロール１２を装着するマガジン２２Ａと、加熱手段２４の発熱体２４Ａとを有し、先端部２１Ａが発熱体２４Ａにより加熱される。また、第２アーム２３は、ロール１２を装着するマガジン２２Ｂと、加熱手段２５の発熱体２５Ａとを有し、先端部２３Ａが発熱体２５Ａにより加熱される。そして、これらハンドル２１及び第２アーム２３は、互いに枢動軸Ｃを中心に枢動することで、先端部２１Ａと先端部２３Ａとが接離可能になっている。
【００３７】
また、ハンドル２１及び第２アーム２３は、加熱された髪止め具１０を切断（分離）し易くするために、先端部２１Ａ，２３Ａよりもマガジン２２Ａ，２２Ｂ側に、鋸歯のような突起を有してもよい。
【００３８】
加熱手段２４，２５の発熱体２４Ａ，２５Ａは、ニクロム線などで形成されており、リチウムイオン電池、充電電池、乾電池などの電源２５Ｂに接続されている。この電源２５Ｂは、第２アーム２３に設けられる。
【００３９】
また、発熱体２４Ａ，２５Ａは、図示されないボリュームやＤＩＰスイッチなどの温度設定器で加熱温度が設定される。なお、電源２５Ｂは、コードレス化のため、上述したリチウムイオン電池などが好ましいが、ＡＣアダプタや交流コンセントなどを用いたものであってもよい。また、発熱体２４Ａ，２５Ａは、一方側の加熱容量で他方側の髪止め具１０を加熱することができれば、いずれか一方のみを有するものでもよい。
【００４０】
つぎに、マガジン２２Ａ，２２Ｂは、ロール１２を巻き戻してテープ状の髪止め具１０を、それぞれの先端部２１Ａ，２３Ａに供給することができるように、図示されない手動又は自動の巻戻機構やガイドを有している。
【００４１】
最後に、髪止めツール２０を用いて髪止め具１０を髪に取付ける要領を説明する。
まず、図３（ａ）に示すように、マガジン２２Ａ，２２Ｂに髪止めツール２０に、髪止め具１０のロール１２をそれぞれ装填し、巻戻機構により髪止め具１０を、ハンドル２１及び第２アーム２３の先端部２１Ａ，２３Ａに供給する。そして、先端部２１Ａと先端部２３Ａとの間に髪を通し、ハンドル２１と第２アーム２３とを握り込んで、先端部２１Ａを先端部２３Ａ側に押付ける。このハンドル２１の押付け動作に伴って、上下の髪止め具１０は、加熱手段２４，２５により加熱されて、溶融（軟化）されながら、先端部２１Ａ，２３Ａに位置する部分が切断されるとともに、髪を上下から挟むように取付けられる。
【００４２】
以上のとおり、本発明に係る実施形態２の髪止めツール２０は、加熱により溶ける素材で形成されており、素材の融点が２５℃以上で１００℃未満である髪止め具１０を髪に取付けるものであって、髪止め具１０が装填されるマガジン２２Ａ，２２Ｂと、髪止め具１０を加熱する加熱手段２４，２５と、を備える。これにより、髪止め具１０を１又は複数準備しておくとともに、髪止め具１０を加熱することができる。そのため、髪止め具１０を加熱して軟化（変形）させ、すぐに、所望の位置に簡単に、また、連続的に取付けることができる。
【００４３】
そのため、小さい子供、老人、片手が不自由な者などの人自身でも、あるいは、これらの人に対しても、髪止め具１０を容易に取付けることができる。また、頭皮に生える髪だけでなく、カツラやウィッグ、あるいは、人形の髪に対しても、髪止め具１０を取付けることができるため、本発明の実施形態に係る髪止め具１０及び髪止めツール２０は、個人・職人用のヘアスタイリング道具としてだけでなく、子供の遊び道具としても有益である。また、髪にエクステンションを装着する際にも、適用することができる。
【００４４】
また、実施形態２の髪止めツール２０は、加熱手段２４，２５を備えたが、更にペルチェ素子などの冷却手段を備えてもよく、スイッチなどで、加熱手段２４，２５と冷却手段とを切り替えられるようにしてもよい。これによれば、髪止め具１０は、加熱手段２４，２５により加熱されて髪に止められた後、すぐに冷却手段により冷却され固められるようになる。
【００４５】
あるいは、実施形態２では、髪止め具１０は、巻テープ状に形成されていたが、所定の長さの矩形のテープ状（板状）であってもよい。このとき、髪止めツール２０は、複数枚の矩形のテープ状の髪止め具１０をマガジン２２Ａ，２２Ｂに積重ねて収納し、手動又は自動の繰出機構により、１枚ごとに髪止め具１０を先端部２１Ａ，２３Ａに繰出すことができるように構成されるとよい。このように構成しても、髪止め具１０をほぼ連続的に取付けることができる。
【００４６】
（変形例１）
図４は、変形例１の髪止めツール１２０を示す、（ａ）斜視図であり、（ｂ）マガジン１２２を開放した状態の斜視図である。
変形例１の髪止めツール１２０は、髪止め具１０がステープルとして形成された場合に使用するものである。この髪止めツール１２０は、ハンドル１２１と、マガジン１２２と、クリンチャアーム１２３と、加熱手段１２４と、レバー１２５とを備えるステープラである。
【００４７】
くわしくは、ハンドル１２１は、髪止め具１０を打込むためのドライバ１２１Ａを有する。マガジン１２２は、装填される髪止め具１０をバネ１２２Ａにより送り出すためのプッシャ１２２Ｂを有する。レバー１２５は、ハンドル１２１及びクリンチャアーム１２３に揺動可能に取付けられている。
【００４８】
また、クリンチャアーム１２３は、打込まれた髪止め具１０の先端を溝に沿って曲げるためのクリンチャ１２３Ａを有する。このクリンチャ１２３Ａは、加熱手段１２４により加熱される。加熱手段１２４は、発熱体１２４Ａと、電源１２４Ｂと、図示されないボリュームやＤＩＰスイッチなどの温度設定器とを含んでいる。
【００４９】
つづいて、髪止めツール１２０を用いて髪止め具１０を髪に取付ける要領を説明する。
まず、図４（ｂ）に示すように髪止めツール１２０を開いて、髪止め具１０をステープルとしてマガジン１２２に装填する。次に、髪止めツール１２０を閉じて、クリンチャ１２３Ａの上方に髪を通し、ハンドル１２１とレバー１２５とを握り込んで、ハンドル１２１をクリンチャ１２３Ａ側に押付ける。ハンドル１２１の押付け動作に伴って、ドライバ１２１Ａが打込まれ、プッシャ１２２Ｂにより送り出されている髪止め具１０は、切込み１１の箇所で一つだけ切離される。それとほぼ同時に、髪止め具１０の両先端は、加熱手段１２４により加熱されているクリンチャ１２３Ａにより、溶融（軟化）されながら、髪を巻き込む（綴じる）ように曲げられる。これにより、髪止め具１０は髪に止められる。
【００５０】
以上のとおり、変形例１の髪止めツール１２０では、髪止め具１０が、ステープルとして形成されており、髪止めツール１２０は、髪止め具１０を打込むドライバ１２１Ａを有するハンドル１２１と、装填される髪止め具１０をバネ１２２Ａにより押出すプッシャ１２２Ｂを有するマガジン１２２と、打込まれた髪止め具１０の先端を溝に沿って曲げるクリンチャ１２３Ａを有するクリンチャアーム１２３とを備え、クリンチャ１２３Ａが、加熱手段１２４により加熱される。これにより、用紙を綴じるステープラを使用する感覚で、髪止め具１０を所望の位置に、手間や時間が掛からず、簡単に、また、連続的に取付けることができる。
【００５１】
変形例２の髪止めツール１２０は、髪止め具１０の打込みと曲げを同時に行うもので、取付け後の髪止め具１０は眼鏡状になるが、クリンチャガイドを有するものとし、髪止め具１０を打込んだ後に、クリンチャ１２３Ａで髪止め具１０の根元から折り曲げ、取付け後の髪止め具１０がフラットになるものであってもよい。
【００５２】
あるいは、クリンチャ１２３Ａの溝を深い半円状とし、取付け後の髪止め具１０がＤ字状になるようにしてもよい。さらに、クリンチャ１２３Ａの溝を適宜変更して、取付け後の髪止め具１０が、三角形状、頂点が閉じていない三角形状、両先端が交差するようにしてもよい。これら各種形状のクリンチャ１２３Ａは、ネジなどにより、クリンチャアーム１２３に交換可能に装着されるようにしてもよい。
【００５３】
さらには、取付け前のステープル状の髪止め具１０自体の形状、ドライバ１２１Ａの形状、クリンチャ１２３Ａの溝形状などを適宜変更し、取付け後の髪止め具１０が、Ｃ字状又は閉じたＣ字状になるようにしてもよい。
【００５４】
（変形例２）
ところで、髪止めツール１２０は、上記変形例１のような、レバー１２５を有するプライヤー型のステープラに限られず、レバー１２５を有さない一般的なステープラのような型式の髪止めツール２２０であってもよい。図５は、変形例２の髪止めツール２２０を示す斜視図である。
【００５５】
この髪止めツール２２０は、髪止め具１０を打込むドライバ２２１Ａを有するハンドル２２１と、装填される髪止め具１０をバネ２２２Ａにより送り出すプッシャ２２２Ｂを有するマガジン２２２と、打込まれた髪止め具１０の先端を溝に沿って曲げるクリンチャ２２３Ａを有するクリンチャアーム２２３と、クリンチャ２２３Ａを加熱する加熱手段２２４（２２４Ａ，２２４Ｂ）とを備える。
【００５６】
このような形式の髪止めツール２２０であっても、ステープル状の髪止め具１０を髪に取付けることができる。
【００５７】
上述したように、髪止めツール２０，１２０，２２０は、髪止め具１０の形状に応じて設計されるが、髪止め具１０が装填されるマガジン２２Ａ，２２Ｂ，１２２，２２２と、髪止め具１０を加熱する加熱手段２４，２５，１２４，２２４と、を少なくとも備えるとよい。
【００５８】
例えば、髪止め具１０が、結束バンド状であれば、結束機は、結束バンドが装填されるマガジンと、結束バンドを案内するガイドを加熱する加熱手段を備えるとよい。また、髪止め具１０が、連射式クリップ機用のクリップ状であれば、連射式クリップ機は、クリップが挿入されるマガジンと、挟み口を加熱する加熱手段を備えるとよい。
【００５９】
以上、本発明の好ましい実施形態について詳述したが、本発明は上述した実施形態に限定されるものではなく、特許請求の範囲に記載された本発明の要旨の範囲内において、種々の変形、変更が可能である。
【符号の説明】
【００６０】
１０      髪止め具、１１  切込み、１２  ロール
２０      テープディスペンサ（髪止めツール）
２１      ハンドル（第１アーム）、２１Ａ  先端部
２２Ａ，２２Ｂ    マガジン
２３      第２アーム、２３Ａ  先端部
２４，２５    加熱手段、２４Ａ，２５Ａ  発熱体、２５Ｂ  電源
１２０，２２０    ステープラ（髪止めツール）
１２１，２２１    ハンドル、１２１Ａ，２２１Ａ  ドライバ
１２２，２２２    マガジン、１２２Ａ，２２２Ａ  バネ、１２２Ｂ，２２２Ｂ  プッシャ
１２３，２２３    クリンチャアーム、１２３Ａ，２２３Ａ  クリンチャ
１２４，２２４    加熱手段、１２４Ａ，２２４Ａ  発熱体、１２４Ｂ，２２４Ｂ  電源
１２５    レバー
【図１】
2019072646.tif 000003
【図２】
2019072646.tif 000004
【図３】
2019072646.tif 000005
【図４】
2019072646.tif 000006
【図５】
2019072646.tif 000007
【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
髪止め具であって、
加熱により溶ける素材で形成されており、
前記素材の融点が、２５℃以上で１００℃未満である
ことを特徴とする髪止め具。
【請求項２】
前記素材は、ゼラチン、デンプン、寒天、糊、米粉、小麦粉、グルテン、コーンスターチ、水飴のうち少なくとも１種を含む
ことを特徴とする請求項１に記載の髪止め具。
【請求項３】
前記髪止め具は、テープ状に形成されている
ことを特徴とする請求項１又は２に記載の髪止め具。
【請求項４】
前記髪止め具は、スリット開口又は穴が形成されている
ことを特徴とする請求項１から３までのいずれか１項に記載の髪止め具。
【請求項５】
前記髪止め具は、複数個が連続した状態で形成され、各境界部には、切込みが施されている
ことを特徴とする請求項１から４までのいずれか１項に記載の髪止め具。
【請求項６】
加熱により溶ける素材で形成されており、前記素材の融点が２５℃以上で１００℃未満である髪止め具を髪に取付ける髪止めツールであって、
前記髪止め具が装填されるマガジンと、
前記髪止め具を加熱する加熱手段と、を備え、
前記マガジンは、矩形のテープ状に形成された複数枚の前記髪止め具を積重ねて収納する、
ことを特徴とする髪止めツール。
【請求項７】
前記髪止めツールは、
前記マガジンを有し、互いの先端部が接離可能な第１アーム及び第２アームを備え、
前記第１アーム及び前記第２アームの少なくとも一方は、前記先端部が前記加熱手段により加熱され、
前記マガジンは、繰出機構により１枚ごとに前記髪止め具を繰出し可能である、
ことを特徴とする請求項６に記載の髪止めツール。